(57)【要約】【課題】本発明は、レポート作成時にレポートに用いる画像の選択にかかる労力を軽減し、レポート作成を容易にした医療用画像記録装置を提供することを課題とする。【解決手段】スコープスイッチ１３１のＳＷ＿Ｂを押下すると選択マーク１４２が表示される。この状態でＳＷ＿Ａを押下すると、スコープスコープ１３によって撮影されている内視鏡画像が取り込まれ、またこの内視鏡画像には、マーキングされたことを示す情報を含むヘッダ情報がヘッダ情報付加部１１４によって付加されてサーバ１５に送信される。レポート作成時には、このマーキングされた画像から用いる画像を選択する。【選択図】    図１
2004350725.tif 000002
【特許請求の範囲】
【請求項１】
内視鏡により撮影された内視鏡画像を記録する為の医療用画像記録装置であって、
操作者の指示に基づいて、前記内視鏡によって撮影された前記内視鏡画像を画像データとして取り込む撮影手段と、
前記操作者の指示に基づいて、前記撮影手段が取り込んだ前記内視鏡画像に選択されたことを示す情報を付加するマーキング手段と
を備えることを特徴とする医療用画像記録装置。
【請求項２】
マーク画像を生成するマーク発生手段と、前記内視鏡からの前記内視鏡画像に前記マーク画像を合成してモニタに出力する合成手段とを更に備えることを特徴とする請求項１に記載の医療用画像記録装置。
【請求項３】
前記操作者の指示に基づいて、内視鏡検査の開始時刻と終了時刻を記録する検査時間記録手段を更に備えることを特徴とする請求項１又は２に記載の医療用画像記録装置。
【請求項４】
前記医療用画像記録装置はネットワークによってサーバと接続されており、前記撮影手段が取り込んだ前記内視鏡画像の画像データを、前記ネットワークを介して前記サーバに送信する送信手段を更に備えることを特徴とする請求項１乃至３の何れか１つに記載の医療用画像記録装置。
【発明の詳細な説明】
【０００１】
【発明の属する技術分野】
本発明は、内視鏡によって撮影された内視鏡画像を記録する医療用画像記録装置に関する。
【０００２】
【従来の技術】
近年、スコープの細長の先端部を体腔内等の被検部位に挿入して、体腔や内臓の内腔を直接観察する内視鏡検査が一般的に行なわれるようになっている。
また、内視鏡装置によって撮影した内視鏡画像をネットワークによって接続されたサーバに記録・蓄積し、この画像を必要に応じて取り出すことが出来る内視鏡画像ファイリングシステムが広く利用されている。
【０００３】
内視鏡画像ファイリングシステムは、内視鏡装置のスコープ部分に備えられたスイッチ、例えばレリーズスイッチを内視鏡検査医が押すと、内視鏡装置に接続されている医療用画像記録装置によって、モニタに表示されている内視鏡画像が取り込まれ、患者についての情報や検査についての情報が付加された形でネットワーク介してサーバに記録、蓄積される。
【０００４】
例えば特許文献１に開示されている内視鏡画像ファイリングシステムでは、内視鏡観測装置によって撮影した内視鏡画像を医療用画像記録装置によってデータ圧縮処理を行った後、ネットワークを介してファイルサーバに送り、サーバ内に記憶・蓄積している。
【０００５】
【特許文献１】
特開平７−１４１４９８号公報
【０００６】
【発明が解決しようとする課題】
内視鏡検査は、一般に内科や外科等の患者の担当医から内視鏡検査医へ依頼する形で行なわれる。
内視鏡検査医は、依頼された検査が終了すると、担当医への検査報告として検査レポートを提出するが、この検査レポートは画像ファイルを添付した形で作成される。
【０００７】
内視鏡検査医は、ファイルサーバとネットワーク接続された端末から、ファイルサーバに蓄積されている全画像を呼び出して画面上に表示し、レポートに用いる画像を選択しながらレポートを作成する。
一度の内視鏡検査では、通常４０〜１００枚程度の撮影が行なわれるが、撮影箇所は一般的にルーチン化されており、その中には重要度の低い画像も含まれている。レポートには撮影した全ての画像を用いるわけではなく、ポリーブが見つかった部位の画像等、特に重要な画像を用いるが、この撮影画像を選択する作業は、一度全ての画像を端末に取り込んだ後に画面上やプリンタで出力し、記憶に頼りながら画像内容を逐次チェックして行なっていた。その為、作業は煩雑になり、時間・コストもかかってしまう。
【０００８】
また従来、内視鏡検査に要した時間を正確に記録する手段を持たなかった。
本発明は、レポート作成時にレポートに用いる画像の選択にかかる労力を軽減し、レポート作成を容易にした医療用画像記録装置を提供することを課題とする。
【０００９】
また内視鏡検査に要した時間を正確に記録できる医療用画像記録装置を提供することを課題とする。
【００１０】
【課題を解決するための手段】
本発明による医療用画像記録装置は、内視鏡により撮影された内視鏡画像を記録することを前提とし、上記問題点を解決する為、撮影手段及びマーキング手段を備える。
【００１１】
撮影手段は、操作者の指示に基づいて、前記内視鏡によって撮影された前記内視鏡画像を画像データとして取り込む。
マーキング手段は、前記操作者の指示に基づいて、前記撮影手段が取り込んだ前記内視鏡画像に選択されたことを示す情報を付加する。
【００１２】
この構成により、操作者は、レポートに用いる画像に対してマーキング行なうことを指示することにより、取り込んだ任意の内視鏡画像に選択されたことを示す情報を付加することが出来る。
また本発明による医療用画像記録装置は、マーク画像を生成するマーク発生手段と、前記内視鏡からの前記内視鏡画像に前記マーク画像を合成してモニタに出力する合成手段とを更に備える構成とすることも出来る。
【００１３】
これにより、モニタ上にマーキングされているかどうかがマーク画像によって示され、操作者はモニタの表示によってマーキングされているかどうかを確認できる。
更に本発明による医療用画像記録装置は、前記操作者の指示に基づいて、内視鏡検査の開始時刻と終了時刻を記録する検査時間記録手段を更に備える構成とすることも出来る。
【００１４】
これにより、内視鏡検査の開始時刻と終了時刻を正確に記録することが出来る。
また本発明による医療用画像記録装置は、前記医療用画像記録装置はネットワークによってサーバと接続されており、前記撮影手段が取り込んだ前記内視鏡画像の画像データを、前記ネットワークを介して前記サーバに送信する送信手段を更に備える構成とすることも出来る。
【００１５】
これにより、取り込まれた内視鏡画像はサーバ内に格納され、ネットワークを介して端末からサーバから読み出すことが出来る。
また本発明は、医療用画像記録装置による内視鏡画像の取り込み方法や、プログラムもその範囲に含む。
【００１６】
【発明の実施の形態】
以下に本発明の一実施形態について説明する。
図１は、本実施形態における内視鏡画像ファイリングシステムの構成を示す図である。
【００１７】
この図１のシステムでは、内視鏡検査時に、検査を行ないながら撮影する画像に対して選択されたことを示す印をつけるマーキング機能を備えている。よって、内視鏡検査時に画像を撮影しながらレポートに使用する画像にマーキングし、後日マーキングされた画像から選択してレポートを作成することによってレポート作成に用いる画像を探す手間を軽減することができる。
【００１８】
図１の内視鏡画像ファイリングシステムは、画像記録装置１１、内視鏡システム１２、スコープ１３、モニタ１４、サーバ１５及び端末１６から構成されている。
このうち、画像記録装置１１、サーバ１５及び端末はＬＡＮ１７によってネットワーク接続されており、このＬＡＮ１７を介して内視鏡システムによって撮影された画像は画像記録装置１１によってサーバ１５に記録され、レポート作成の際にはサーバ１５内の画像等のデータが端末１６によって読み出される。また画像記録装置１１には、内視鏡システム１２及びモニタ１４が専用線によって接続されている。尚本システムでは、画像記録装置１１や端末１６を複数備える構成としても、或いは１つの画像記録装置１１に複数の内視鏡システム１２やスコープ１３と接続される構成としても良い。
【００１９】
画像記録装置１１は、内視鏡によって撮影され取り込まれた画像をサーバ１５に記録・蓄積する為の処理や、内視鏡検査医等の操作者の為に撮影画像や接続機器の状態等についての種々の情報をモニタ１４に表示する為の処理を行なうもので、画像圧縮部１１１、マーク発生部１１２、合成部１１３、ヘッダ情報付加部１１４を有している。
【００２０】
画像圧縮部１１１は、内視鏡システム１２からの画像データに対してデータ圧縮処理を行なう。マーク発生部１１２は、スコープ１３を操作する内視鏡検査医等の操作者によってスイッチ１３１が押下されると選択マークの画像データを発生する。合成部１１３は、撮影画像にマーク発生部１１２が発生させた選択マークを、内視鏡システム１２から入力される内視鏡画像に合成して表示画面データを生成しモニタ１４に出力する。ヘッダ情報付加部１１４は、取り込んだ静止画画像をサーバ１５に保存する際に、圧縮データに付加する患者についての情報や撮影環境を示すヘッダ情報を生成するものである。画像記録装置１１は、取り込んだ画像の圧縮データにヘッダ情報を付加した画像ファイルの形式で画像データをサーバ１５に送信して、内視鏡画像をサーバ１５のデータベースに登録させる。
【００２１】
内視鏡システム１２は、スコープ１３で撮像した被検体の観察像を映像信号に変換し、内視鏡画像として画像記録装置１１に出力する。
スコープ１３は、撮影を司る部分で、その先端部を検査を行なう患者に挿入し、不図示の光源による光の反射光をＣＣＤ等の固体撮像素子によって光電変換して内視鏡システム１２に出力する。またスコープ１３には、操作者が検査を行ないながら操作することが出来る位置にスコープスイッチ１３１が備わっている。このスコープススイッチ１３１としては、３〜４個のボタンスイッチが通常用意されており、各スイッチに設定する機能は、設定を変更することでソフトウエア的に割り振ることが出来る。本例では、スコープススイッチ１３１としてＳＷ＿Ａ、ＳＷ＿Ｂ、ＳＷ＿Ｃ及びＳＷ＿Ｄの４つのボタンスイッチを備え、そのうちＳＷ＿Ａに撮影画像を静止画データとして取り込むレリーズスイッチ、ＳＷ＿Ｂには静止画として取り込む画像にマーキングを行なうマーキングモードに設定するマーキングスイッチ、ＳＷ＿Ｃには検査の開始及び終了を通知する開始／終了スイッチとしての機能が設定されているものとする。尚この開始／終了スイッチの機能は、スコープスイッチ１３１に割り振るのではなく、内視鏡システム１２のキーボード、フットスイッチ等の入力装置に割り振る構成としても良い。
【００２２】
モニタ１４は、スコープ１３によって現在撮影されている内視鏡画像１４１を表示する表示モニタである。このモニタ１４の表示画面上には、内視鏡画像１４１の他に現在マーキングモードになっているかどうかを示す選択マーク１４２が表示される。そしてこの選択マーク１４２がモニタ１４上に表示された状態でレリーズスイッチＳＷ＿Ａを押下して内視鏡画像の取り込みを行なうと、取り込んだ画像はマーキングされる。尚、上記説明ではスコープスイッチ１３１のＳＷ＿Ｂを一旦押してマーキングモードにした後に、ＳＷ＿Ａを押してマーキングした画像が取り込まれる構成を示したが、本実施形態はこれに限定される訳ではなく、ＳＷ＿Ｂを押すだけで画像がマーキングされて取り込まれる構成としても良い。
【００２３】
サーバ１５は、内視鏡による患者の個人情報や撮影画像等をデータベース化して格納するファイルサーバである。端末１６は、ＬＡＮ１７によってサーバ１６とネットワーク接続されている情報処理装置で、内視鏡検査を行なった医師は、この端末１６を用いてサーバ１５から取り込んだ内視鏡画像や患者情報を呼び出しながらレポートを作成する。
【００２４】
図２は、画像記録装置１１の構成例を示す図である。
同図の画像記録装置１１は、各種動作制御を行なうＣＰＵ２１、制御用プログラム等を記憶しておくＲＯＭ２２、動作時のワーキングメモリとなるＲＡＭ２３、内視鏡システム１２からの画像信号を一旦格納するビデオＲＡＭ（Ｖ−ＲＡＭ）２４、操作パネルやキーボード等の入力装置からの入力やＣＤ−ＲＯＭ等の可搬記憶媒体の読み出し装置からの入力を受け付ける入力部２５、モニタ１４に画像データ等を出力する出力部２６、ネットワーク５との間でデータや命令等の信号を送受するネットワークインタフェース（ネットワークＩ／Ｆ）２７、サーバ１５に送られるべき圧縮画像データを記憶する不揮発性のフラッシュメモリ２８、画像信号の圧縮処理を行なう画像圧縮ＬＳＩ２９、及び内視鏡システム１２との間で通信信号を送受する通信インタフェース（通信Ｉ／Ｆ）３０を備えて構成され、これらがバスライン３１によって接続されている。
【００２５】
図２に示した画像記録装置１１では、ＣＰＵ２１がＲＯＭ２２内のファームウエアや、入力部から読み込んだプログラムを実行することによって他の構成要素の制御を行ない、モニタ１４への表示の為の処理や、内視鏡画像のマーキング処理、サーバ１５への保存の為の処理等の本明細書に記載されている各種処理を実現する。尚画像記録装置１１は、図２に示したようなＣＰＵ２１がプログラムを実行してソフトウエア的に処理を実現する構成ではなく、その一部若しくは全部を専門のハードウエアによって構成して、処理を実現する形にしても良い。
【００２６】
次に図１のシステムの内視鏡検査時の動作について説明する。
内視鏡検査を行なうにあたって、内視鏡検査医等の操作者は、まず患者のベッド傍に設置してある内視鏡システム１２のキーボードやカードリーダ等の入力装置からこの内視鏡検査に付加された検査ＩＤや検査を行なう患者のＩＤ番号等患者の識別情報を入力（サーバ１５に未登録の患者の場合、氏名、年齢、性別などの患者の個人情報も入力）する。この入力があると、画像記録装置１１のヘッダ情報付加部１１４は、取り込んだ内視鏡画像の画像データに付加するヘッダ情報を生成するためにこの患者に対する個人情報をサーバ１５から読み出す。
【００２７】
次に操作者は、スコープスイッチ１３１のＳＷ＿Ｃを押下して、内視鏡システム１２に検査の開始を通知する。この通知によって画像記録装置１１のヘッダ情報付加部１１４は、検査開始時刻を記録する。尚この時記録する時刻は、サーバ１５の内部時計を元にする。
【００２８】
操作者は、モニタ１４に表示される内視鏡画像１４１を見ながらスコープ１３を操作し、必要に応じてレリーズボタンであるスコープスイッチ１３１のＳＷ＿Ａを押下し、内視鏡画像を静止画画像として取り込む。ＳＷ＿Ａが押下されると画像記録装置１１では、画像圧縮部１１１が内視鏡システム１２から入力される画像データに対してデータ圧縮処理を行ない、ヘッダ情報付加部１１４がこの圧縮画像データに患者の個人情報やその画像の撮影情報等からなるヘッダ情報を付加し、ＬＡＮ１７を介してサーバ１５に送信して記憶させる。
【００２９】
操作者はスコープ１３を操作しながら、ＳＷ＿Ａを押下して内視鏡画像を取り込んでゆくが、この時、操作者が後日レポート作成に用いると思う画像を取り込む時は、レリーズボタンＳＷ＿Ａを押下する前に、まずＳＷ＿Ｂを押下する。このＳＷ＿Ｂの押下は、内視鏡システム１２を介してマーク発生部１１２に通知される。この通知により、マーク発生部１１２はモニタ１４に画面に表示する選択マークの画像データを生成して合成部１１３に出力し、またマークの発生をヘッダ情報付加部１１４に通知する。これを受けて合成部１１３は、内視鏡システム１２からの内視鏡画像にマーク発生部１１２からの画像データを合成し、モニタ１４に出力する。この合成処理によって、モニタ１４の画面上には、マーキングされたことを示す選択マーク１４２が表示される。これにより、操作者は画像を選択したことを操作中に確認できる。
【００３０】
この選択マーク１４２が表示された状態で、操作者がＳＷ＿Ａを押下して内視鏡画像を取り込むと、上述したように画像圧縮部１１１によってデータ圧縮された画像データに、ヘッダ情報付加部１１４によって生成されたヘッダ情報が付加されてサーバ１５に送信されるが、ヘッダ情報付加部１１４はマーク発生部１１２からの通知を受けてヘッダ情報内の画像がマーキングされたことを示すフラグをＯＮにする。これにより、サーバ１５に蓄積された内視鏡画像のデータにはその画像がマーキングされたかどうかを示す情報が付加されることとなる。
【００３１】
尚ＳＷ＿Ｂを押下後、ＳＷ＿Ａを押下する前に再度ＳＷ＿Ｂを押下するとマーキングは取り消され、これはマーク発生部１１２及びヘッダ情報付加部１１４に通知される。これによりマーク発生部１１２はマーク画像の生成を止め、モニタ１４の表示画面上ではマーキングされていることを示す選択マーク１４２が消える。そしてヘッダ情報付加部１１４は、ヘッダ情報内のマーキングされたかどうかを示すフラグをＯＦＦにする。またＳＷ＿Ｂを押下後、特定時間が過ぎてもＳＷ＿Ａを押下しないと、マーキングは取り消されてモニタ１４の表示画面から選択マーク１４２が消える。
【００３２】
全ての検査が終わると操作者は、スコープスイッチＳＷ＿Ｃを押下して、内視鏡システム１２に検査の終了を通知する。この通知によって画像記録装置１１のヘッダ情報付加部１１４は、サーバ１５の内部時計を元にして検査終了時間を記録する。そしてこの検査終了時刻と上記した検査開始時刻をサーバ１５に通知する。
【００３３】
図３は、内視鏡検査時の画像記録装置１１の動作処理を示すフローチャートである。
内視鏡検査が開始されると、画像記録装置１１は、ステップＳ１としてまず開始スイッチであるＳＷ＿Ｃが押下されるのを待つ（ステップＳ１，ＮＯ）。そしてＳＷ＿Ｃが押下されると（ステップＳ１、ＹＥＳ）、ステップＳ２として現在の時刻をサーバ１４に問い合わせ、応答してきた時刻を検査開始時刻として記録した後、スコープスイッチ１３１の入力待ち状態となる（ステップＳ３、ＮＯ）。
【００３４】
ステップＳ３において、スコープスイッチ１３１が押下され、そのスコープスイッチ１３１がＳＷ＿Ｂのマーキングスイッチであれば（ステップＳ３、ＳＷ＿Ｂ）、ステップＳ４としてヘッダ情報付加部１１４は、圧縮画像データに付加するヘッダ情報のマーキングされたかどうかを示すフラグをＯＮにし、ステップＳ５としてマーク発生部１１２はマーク画像を生成してモニタ１４上に選択マーク１４２を表示させた後、処理をステップＳ３のスイッチ入力待ち状態に戻す。
【００３５】
ステップＳ３において、スコープスイッチ１３１が押下され、そのスコープスイッチ１３１がＳＷ＿Ａのレリーズスイッチであれば（ステップＳ３、ＳＷ＿Ａ）、ステップＳ６としてスコープ１３による撮影画像を静止画画像として取り込む。
【００３６】
以降、終了スイッチであるＳＷ＿Ｃが押下されるまで、ステップＳ３〜Ｓ７の処理を繰り返し（ステップＳ７、ＮＯ）、ステップＳ７でＳＷ＿Ｃが押下されれば（ステップＳ７、ＹＥＳ）、ステップＳ８として現在の時刻をサーバ１４に問い合わせ、応答してきた時刻を検査終了時刻として記録した後、処理を終了する。
【００３７】
内視鏡検査が終了後、内視鏡検査を行なった内視鏡検査医は、担当医へ報告書として、或いは電子カルテとして用いる等の目的で、内視鏡検査の結果を報告する検査レポートの作成を行なう。
図４は、検査レポート作成の手順例を示す図である。
【００３８】
検査レポートの作成は、端末１６からサーバ１５内のデータを必要に応じて読み出しながら行なわれる。同図の例では、レポート作成は、患者プロフィールの表示、他の科からの依頼の場合その検査依頼情報の表示、病理検査情報作成、画像選択、検査した部位のスケッチを入力するシェーマ編集、所見の入力、行なった処置内容の入力、診断結果の入力、コメントの入力という手順で行なわれ、レポートが完成するとサーバ１５のデータベースに登録する。
【００３９】
この図４のレポート作成手順中、手順４の画像選択において、従来のシステムでは検査時に撮影した画像を端末１６に取り込み、全ての画像を画面上に表示する等した後、記憶に頼りながら内容を逐次チェックしてレポートに用いるものを選択していた。
【００４０】
しかし、本実施形態のシステムでは、内視鏡検査時に、画像を取り込む際に、ポリーブが見つかった部分の画像等レポートに使用する内視鏡画像に対してマーキングを行なってあるので、このマーキングされた画像をチェックすれば使用する画像の選択は容易に行なうことが出来る。
【００４１】
図５は、レポート作成において画像選択手順で用いる画像選択画面例を示す図である。
端末１６のレポート作成用の表示画面上から、画像一覧のタブやプルダウンメニュー等を操作選択すると、画像選択画面として図５（ａ）に示すように、端末１６の画面上にインデックス画像として取り込んだ内視鏡画像の縮小画像が一覧表示される。
【００４２】
同図（ａ）は、その検査ＩＤや検査日等、レポートを作成している内視鏡検査についての種々の情報５１の下に、その検査で撮影された全内視鏡画像の縮小画像５２が一覧表示されている。
そして画面上に表示された縮小画像５２中、画像取り込み時にマーキングされた画像には選択マーク５３が付加されている。よってレポート作成者は、表示画面５０ａから容易にレポート作成用に選択されてマーキングされた画像が分かり、このマーキングされた画像を中心にチェックすることにより、レポート作成に必要な画像を容易に見つけることが出来る。
【００４３】
レポート作成者は、表示画面５０ａ上において、任意の縮小画像５２をマウス等のポインティングデバイスで選択すると、その画像の拡大画像を表示することが出来る。また表示画面５０ａ上で、ポインティングデバイスによってボタン５５を選択すると、図５（ｂ）に示すように、マーキングされた画像のみを選択表示することが出来、また表示画面５０ｂ上で、ポインティングデバイスによってボタン５６を選択すると、すべての画像を表示した表示画面５０ａに表示を戻すことが出来る。
【００４４】
レポート作成者はこの図５の表示画面５０上で、検査で取り込んだ画像をチェックし、ポインティングデバイスでプルダウンメニューとなっているタブ５４を操作して画像を選択してゆく。図５では、５つの画像が食道についての画像として、また２つの画像が胃についての画像として選択されている。
【００４５】
図６は、作成されたレポートの表示例を示す図である。
同図は、サーバ１５に格納されたレポートを端末１６等の情報処理装置の画面上に表示させた場合を例として示している。
同図のレポートには、内視鏡検査を受けた患者の個人情報を示す患者情報６１、検査ＩＤ、検査日、検査条件等のレポートの対象となっている内視鏡検査についての記録を示す検査情報６２、内視鏡検査で取り込んだ画像を示す画像６３、診断結果を示す６５及びレポート作成者によるコメントを示すコメント６６が示されている。また同図の例では、レポートには食道の画像として５枚の画像６４ａが、また胃の画像として２枚の画像６４ｂが選択されて、レポートに添付されている。尚同図の表示画面上で食道の画像６４ａ、胃の画像６４ｂをポインティングデバイスで選択することによって拡大した画像が画面上に表示させることが出来、また診断６４、コメント６５部分を選択することにより、その内容を画面上に表示させることが出来る。
【００４６】
このようなレポートを作成するにあたり、画像６３部分に添付する内視鏡画像を選択するために、本システムでは内視鏡検査時に、取り込んだ画像にマーキングを行なうことによって予め選択することが出来、レポート作成時に画像の選択にかかる手間を軽減することが出来る。
【００４７】
図７は、画像記録装置１１からサーバ１５に登録する内視鏡画像を送信する際に画像データを格納する画像ファイルの構成例を示す図である。
同図において画像ファイルはヘッダ部７１と圧縮された画像データが格納されている画像データ部７２より構成されている。ヘッダ部７１には、画像データ部７２に格納されている画像データについての種々の情報が格納されており、同図の例では各画像を識別する為の画像番号、画像データの大きさ（画像サイズ）、圧縮サイズ、画像データの各色毎の先頭位置を示す色別データ先頭位置情報、予備領域、内視鏡検査に用いた検査装置名、患者ＩＤや患者名等の検査を行なった患者の患者情報、検査日等の検査条件を示す検査情報、スコープの高原の明るさ等のオプション設定の情報を示す設定オプション機能情報、及び拡張用領域のデータ格納領域を備えている。このうち拡張領域には、この画像がマーキングされているかどうかを示すフラグの情報が格納されている。
【００４８】
図８は、サーバ内のファイルの構成例を示す図である。
画像記録装置１１からサーバ１５に送られた内視鏡画像のデータは、サーバ１５上に構築されているデータベース内に登録されて格納される。
図８において、データベースに格納された内視鏡画像の画像データは、検査マスタファイル８１、患者マスタファイル８２、画像管理ファイル８３及び画像情報テーブル８４及び画像ファイル８５によって構成される。
【００４９】
このうち、画像ファイル８５は、図７の画像番号及び画像データ部７２内の圧縮画像データによって構成され、検査マスタファイル８１、患者マスタファイル８２、画像管理ファイル８３及び画像情報テーブル８４は、ヘッダ部７１に格納されていた種々の情報に基づいて構築される。
【００５０】
検査マスタファイル８１は、検査日等の内視鏡検査についての情報を管理しているテーブルである。尚画像記録装置１１から送信されてきた検査開始時刻／終了時刻はこの検査マスタファイル８１によって管理される。患者マスタファイル８２は、患者ＩＤや患者名等検査を受けた患者に着いての情報を管理しているテーブルである。画像管理ファイル８３は、検査ＩＤ患者ＩＤ、画像番号等画像番号等取り込んだ内視鏡画像についての情報を管理しているテーブルである。画像情報テーブル８４は、マーキングした画像の画像番号等マーキングについての情報を管理しているテーブルである。画像ファイル８５は、取り込んだ内視鏡画像の画像データを格納するもので、圧縮画像データと画像番号を記録している。
【００５１】
これらの情報のうち、検査マスタファイル８１と患者マスタファイル８２の間、検査マスタファイル８１と画像管理ファイル８３の間及び画像管理ファイル８３と画像情報テーブル８４の間は検査ＩＤによってリンク付けられており、患者マスタファイル８２と画像管理ファイル８３の間は患者ＩＤによってリンク付けられている。
【００５２】
レポート作成者は、レポートを作成時に画像を呼び出す際は、検査ＩＤによって検査マスタファイル８１を介して、或いは患者ＩＤによって患者マスタファイル８２を介して画像管理ファイル８３を呼び出し、画像管理ファイル８３がリンクされている画像情報テーブル８４や画像ファイル８５から、図５に示したようなマーキング情報を含む画像選択画面を端末１６の画面上に表示させる。
【００５３】
そして選択した画像は、作成したレポートに画像番号によって添付される。
（付記１）  内視鏡により撮影された内視鏡画像を記録する為の医療用画像記録装置であって、
操作者の指示に基づいて、前記内視鏡によって撮影された前記内視鏡画像を画像データとして取り込む撮影手段と、
前記操作者の指示に基づいて、前記撮影手段が取り込んだ前記内視鏡画像に選択されたことを示す情報を付加するマーキング手段と
を備えることを特徴とする医療用画像記録装置。
（付記２）  マーク画像を生成するマーク発生手段と、前記内視鏡からの前記内視鏡画像に前記マーク画像を合成してモニタに出力する合成手段とを更に備えることを特徴とする付記１に記載の医療用画像記録装置。
（付記３）  前記操作者の指示に基づいて、内視鏡検査の開始時刻と終了時刻を記録する検査時間記録手段を更に備えることを特徴とする付記１又は２に記載の医療用画像記録装置。
（付記４）  前記医療用画像記録装置はネットワークによってサーバと接続されており、前記撮影手段が取り込んだ前記内視鏡画像の画像データを、前記ネットワークを介して前記サーバに送信する送信手段を更に備えることを特徴とする付記１乃至３の何れか１つに記載の医療用画像記録装置。
（付記５）  内視鏡により撮影された内視鏡画像を記録する為の医療用画像記録装置による内視鏡画像の取り込み方法であって、
操作者の指示に基づいて、前記内視鏡によって撮影された前記内視鏡画像を画像データとして取り込み、
前記操作者の指示に基づいて、前記取り込んだ前記内視鏡画像に選択されたことを示す情報を付加する
ことを特徴とする内視鏡画像の取り込み方法。
（付記６）  内視鏡により撮影された内視鏡画像を記録する為の情報処理装置によって実行されるプログラムであって、
操作者の指示に基づいて、前記内視鏡によって撮影された前記内視鏡画像を画像データとして取り込み、
前記操作者の指示に基づいて、前記取り込んだ前記内視鏡画像に選択されたことを示す情報を付加する
ことを前記情報処理装置に実行させるプログラム。
（付記７）マーキング手段による情報を元に、電子カルテ乃至検査レポートに添付する画像を決定した事を特徴とする付記１の医療用画像記録装置。
【００５４】
【発明の効果】
本発明によれば、内視鏡検査時にレポートに使用する画像を選択することが出来るので、後々記憶を頼りに画像を選ぶ必要が無い。よって、画像の選択を正確に行なうことが出来る。またレポート作成における煩雑さを無くし、作成に要する負荷を軽減することが出来る。
【００５５】
またレポート作成時に、事前に選択された画像のみを検索することが出来、画像選びを支援することが出来る。
更には、検査の開始時刻と終了時刻を正確に記録することが出来る。
【図面の簡単な説明】
【図１】本実施形態における内視鏡画像ファイリングシステムの構成を示す図である。
【図２】画像記録装置の構成例を示す図である。
【図３】内視鏡検査時の画像記録装置の動作処理を示すフローチャートである。
【図４】レポート作成の手順例を示す図である。
【図５】画像選択画面例を示す図である。
【図６】レポートの例を示す図である。
【図７】画像ファイルの構成例を示す図である。
【図８】サーバ内のファイルの構成例を示す図である。
【符号の説明】
１１  画像記録装置
１２  内視鏡システム
１３  スコープ
１４  モニタ
１５  サーバ
１６  端末
１７  ＬＡＮ
１１１  画像圧縮部
１１２  マーク発生部
１１３  合成部
１１４  ヘッダ情報付加部
１３１  スコープスイッチ
１４１  表示画像
１４２  選択マーク
【図１】
2004350725.tif 000003
【図２】
2004350725.tif 000004
【図３】
2004350725.tif 000005
【図４】
2004350725.tif 000006
【図５】
2004350725.tif 000007
【図６】
2004350725.tif 000008
【図７】
2004350725.tif 000009
【図８】
2004350725.tif 000010